(57)【特許請求の範囲】
【請求項１】
地面に載置されるコーンのテーパー状外周面を覆うカバー部材と、前記カバー部材の外面に配置された複数の発光素子と、前記複数の発光素子に給電する電池と、を有するコーンカバーにおいて、
前記カバー部材の全周の半分以下の限定領域に、前記複数の発光素子の８０％以上が偏在し、
前記カバー部材の上端部に固定されて前記カバー部材より上方に突出したアーチ状をなしかつその内側を貫通する方向が前記限定領域と正対する方向を向いた持手部と、
前記限定領域と正対する方向から見た前記カバー部材の横方向中央となる位置で下方に突出した下端突片部と、
前記下端突片部に設けられて前記電池を収容する袋部とを備えると共に、
前記カバー部材の展開形状である扇の径方向に延びて前記カバー部材に固定され、前記カバー部材の変形を規制する支持骨部材が、前記下端突片部の上方に配置されているコーンカバー。
【請求項２】
前記支持骨部材が、前記限定領域と正対する方向から見た前記カバー部材の横方向中央となる第１位置と、その第１位置に対して左右対称となる１対の第２位置とにそれぞれ配置されている請求項１に記載のコーンカバー。
【請求項３】
前記下端突片部は、下方に向かって徐々に横幅が狭くなる形状をなしている請求項１又は２に記載のコーンカバー。
【請求項４】
前記支持骨部材は、前記カバー部材の外面に配置されて、前記複数の発光素子を収容する透明なケースである請求項１乃至３の何れか１の請求項に記載のコーンカバー。
【請求項５】
前記複数の発光素子は帯状基板に実装された状態で前記支持骨部材としての前記ケースに収容されている請求項４に記載のコーンカバー。
【請求項６】
通常は、オフ状態に保持されて前記電池と前記発光素子との間の導通を遮断し、前記カバー部材が前記コーンの前記テーパー状外周面を覆った状態で前記コーンに当接してオン状態になり、前記電池と前記発光素子との間を導通するモメンタリ式の電源スイッチを備えた請求項１乃至５の何れか１の請求項に記載のコーンカバー。
【請求項７】
前記カバー部材は周方向の１箇所で分割されると共に、その分割部分が面ファスナーにて結合されている請求項１乃至６の何れか１の請求項に記載のコーンカバー。
【請求項８】
前記発光素子が回析格子シートで覆われている請求項１乃至７の何れか１の請求項に記載のコーンカバー。
【発明の詳細な説明】
【技術分野】
【０００１】
本発明は、コーンを覆いかつ外面に複数の発光素子を備えたコーンカバーに関する。
【背景技術】
【０００２】
従来、この種のコーンカバーは、複数の発光素子を周方向に均等配置して備え、電池を電源にしてそれら発光素子群を点灯させていた（例えば、特許文献１参照）。
【先行技術文献】
【特許文献】
【０００３】
【特許文献１】特開２００１−２４８１１８号公報(図２〜図４）
【発明の概要】
【発明が解決しようとする課題】
【０００４】
しかしながら、上記した従来のコーンカバーは、例えば、管理エリアの境界部分に配置されたコーンに装着されると、管理エリアの外側を向いた発光素子の光は、部外者への注意喚起のために有効利用されるものの、管理エリアの内側を向いた発光素子の光が無駄になり、電池が無駄に消耗されることになっていた。
【０００５】
本発明は、上記事情に鑑みてなされたもので、電池の無断な消耗を抑えることが可能なコーンカバーの提供を目的とする。
【課題を解決するための手段】
【０００６】
上記目的を達成するためになされた請求項１の発明は、地面に載置されるコーンのテーパー状外周面を覆うカバー部材と、前記カバー部材の外面に配置された複数の発光素子と、前記複数の発光素子に給電する電池と、を有するコーンカバーにおいて、前記カバー部材の全周の半分以下の限定領域に、前記複数の発光素子の８０％以上が偏在し、前記カバー部材の上端部に固定されて前記カバー部材より上方に突出したアーチ状をなしかつその内側を貫通する方向が前記限定領域と正対する方向を向いた持手部と、前記限定領域と正対する方向から見た前記カバー部材の横方向中央となる位置で下方に突出した下端突片部と、前記下端突片部に設けられて前記電池を収容する袋部とを備えると共に、前記カバー部材の展開形状である扇の径方向に延びて前記カバー部材に固定され、前記カバー部材の変形を規制する支持骨部材が、前記下端突片部の上方に配置されているコーンカバーである。
【０００７】
請求項２の発明は、前記支持骨部材が、前記限定領域と正対する方向から見た前記カバー部材の横方向中央となる第１位置と、その第１位置に対して左右対称となる１対の第２位置とにそれぞれ配置されている請求項１に記載のコーンカバーである。
【０００８】
請求項３の発明は、前記下端突片部は、下方に向かって徐々に横幅が狭くなる形状をなしている請求項１又は２に記載のコーンカバーである。
【０００９】
請求項４の発明は、前記支持骨部材は、前記カバー部材の外面に配置されて、前記複数の発光素子を収容する透明なケースである請求項１乃至３の何れか１の請求項に記載のコーンカバーである。
【００１０】
請求項５の発明は、前記複数の発光素子は帯状基板に実装された状態で前記支持骨部材としての前記ケースに収容されている請求項４に記載のコーンカバーである。
【００１１】
請求項６の発明は、通常は、オフ状態に保持されて前記電池と前記発光素子との間の導通を遮断し、前記カバー部材が前記コーンの前記テーパー状外周面を覆った状態で前記コーンに当接してオン状態になり、前記電池と前記発光素子との間を導通するモメンタリ式の電源スイッチを備えた請求項１乃至５の何れか１の請求項に記載のコーンカバーである。
【００１２】
請求項７の発明は、前記カバー部材は周方向の１箇所で分割されると共に、その分割部分が面ファスナーにて結合されている請求項１乃至６の何れか１の請求項に記載のコーンカバーである。
【００１４】
請求項８の発明は、前記発光素子が回析格子シートで覆われている請求項１乃至７の何れか１の請求項に記載のコーンカバーである。
【発明の効果】
【００１５】
本発明のコーンカバーでは、複数の発光素子の大部分（８０％以上）又は全てが、カバー部材の全周の半分以下の限定領域に偏在しているので、その限定領域を管理エリアの外側に向けることで、複数の発光素子の大部分又は全てが、部外者への注意喚起のために有効利用され、電池の無駄な消耗が抑えられる。これにより、電池の交換頻度が抑えられて、電池に係るランニングコストを下げることが可能になる。なお、部内者に対し、部外者に対するほどの高度な注意喚起は不要であるが、低度の注意喚起が必要である場合には、限定領域外に僅かに（全体の２０％以下の）発光素子を設けてもよいし、低度な注意喚起も不要であれば、限定領域外に発光素子を設けなければよい。また、本発明のコーンカバーは、カバー部材より上方に突出した持手部を有しているので、コーンから取り外す作業を容易に行うことができる。しかも、持手部は、カバー部材の上端部に固定されてカバー部材より上方に突出したアーチ状をなしかつその内側を貫通する方向が限定領域と正対する方向を向いているので、持手部を把持した手の向きに基づいて限定領域の向きの調整を容易に行うことができる。さらには、限定領域と正対する方向から見たカバー部材の横方向中央となる位置で電池を収容する下端突片部が下方に突出し、その下端突片部の上方に、カバー部材の変形を規制する支持骨部材が備えられているので、コーンカバーをコーンに被せる際に、コーンカバーが折畳状態になっていても下端突片部をコーンの先端に宛がうことでコーンカバーの下端部を容易に拡げることができる。
【００１９】
請求項６の発明では、コーンカバーをコーンに装着する前は消灯していた発光素子が、コーンカバーをコーンに装着するだけで点灯するので利便性に優れる。
【００２０】
請求項７のコーンカバーでは、カバー部材が周方向の１箇所で分割されて、分割部分が面ファスナーにて結合されているので、コーンの外径やテーパー角の相違に応じてカバー部材の内径やテーパー角を変更してカバー部材を様々なコーンにフィットさせることができる。
【００２２】
請求項８のコーンカバーでは、発光素子が回析格子シートで覆われ、回析格子シートの一部が発光素子より大きな発光部となって視認されることになり、注意喚起機能が高くなる。
【図面の簡単な説明】
【００２３】
【図１】本発明の第１実施形態のコーンカバー及びコーンの斜視図
【図２】コーンカバーの外面側の展開図
【図３】コーンカバーの内面側の展開図
【図４】袋部の変形例の正面図
【図５】発光ユニットの正面図
【図６】発光ユニット及びユニットケースの断面図
【図７】発光ユニットの部分拡大図
【図８】駆動制御ユニットの斜視図
【図９】（Ａ）駆動制御ユニットの電源オフ状態の側面図、（Ｂ）駆動制御ユニットの電源オン状態の側面図、
【図１０】点灯制御プログラムのフローチャート
【図１１】本発明の第２実施形態のコーンカバーの外面側の展開図
【図１２】駆動制御ユニットの斜視図
【図１３】点灯制御プログラムのフローチャート
【図１４】本発明の変形例に係るコーンカバーの平面図
【発明を実施するための形態】
【００２４】
［第１実施形態］
以下、本発明の一実施形態を図１〜図１０に基づいて説明する。図１には、コーン９０に取り付けられた本実施形態のコーンカバー１０が示されている。コーン９０は、平面形状が四角形のベース部９２から円錐状のコーン本体９１が起立した構造をなしている。そして、コーンカバー１０は、コーン本体９１のテーパー状外周面９３（以下、単に「外周面９３」という）を覆うカバー部材１１に複数の発光ユニット２０を取り付けた構造になっている。
【００２５】
カバー部材１１は、上下の両端部が開口したテーパー形の筒状をなし、コーン９０に対して上方から嵌合装着される。また、カバー部材１１は、周方向の１箇所で分割されていて、図２及び図３に示すように扇形状に展開することができる。さらに、展開されたカバー部材１１の一方の側縁部の表側面と、他方の側縁部の裏側面とには面ファスナー１３Ａ，１３Ｂがそれぞれ固定されていて、それら面ファスナー１３Ａ，１３Ｂ同士の結合により、カバー部材１１がテーパー形の筒状に保持される。また、コーン９０の外径やテーパー角の相違に応じて面ファスナー１３Ａ，１３Ｂ同士の結合位置を変えてカバー部材１１の内径やテーパー角を変更することで、カバー部材１１を様々なコーン９０にフィットさせることができる。
【００２６】
図３に示すように、カバー部材１１は、アウターシート１１Ａとインナーシート１１Ｂとの二重構造になっている。図２に示されたアウターシート１１Ａの外面は、例えば略全体が反射部材で覆われかつ防水用の透明な樹脂でコーティングされている。また、アウターシート１１Ａの外面には、色違いの帯状領域が上下に交互に並んだ縞模様が付されている。
【００２７】
一方、インナーシート１１Ｂは、撥水処理された扇形の樹脂製織布であって、図３に示すように、アウターシート１１Ａのうち面ファスナー１３Ａ，１３Ｂが配置された両側縁部と後述するエプロン部１５とを除いた裏面全体を覆っている。そして、インナーシート１１Ｂの上縁部と両側縁部とがアウターシート１１Ａに溶着されると共に、インナーシート１１Ｂの下縁部の両端部と中央部とが面ファスナー１４にてアウターシート１１Ａに結合されている。
【００２８】
展開状態のアウターシート１１Ａの円弧状の下縁部中央からはエプロン部１５が延設されている。エプロン部１５は、下方に向かって徐々に横幅が狭くなっていて、そのエプロン部１５の両側部はアウターシート１１Ａのエプロン部１５の幅方向の中央に向かって膨らむように湾曲した湾曲側部１５Ｓ，１５Ｓになっている。
【００２９】
エプロン部１５の裏面には、例えば、四角形の袋構成シート１６が重ねられて、その袋構成シート１６の両側縁部と下縁部とがエプロン部１５に溶着され、袋部１７が構成されている。また、袋構成シート１６の上端部は、インナーシート１１Ｂの内側に位置して、袋部１７の上端開口がインナーシート１１Ｂに覆われている。前記したインナーシート１１Ｂをアウターシート１１Ａに結合するための中央の面ファスナー１４は、袋構成シート１６の上端部とインナーシート１１Ｂとの重なる部分に取り付けられている（図９（Ａ）参照）。
【００３０】
なお、図４に示すように、袋部１７の上端開口が、アウターシート１１Ａに溶着された開口カバーシート１８にて上方から覆われた構造としてもよい。具体的には、例えば横長帯状の開口カバーシート１８における長手方向の中央で袋構成シート１６の上端部を覆った状態にしてその開口カバーシート１８の上縁部と両側縁部とをアウターシート１１Ａに溶着してもよい。その場合、前記した面ファスナー１４は、開口カバーシート１８とインナーシート１１Ｂとの重なる部分に取り付ければよい。
【００３１】
図１に示すように、カバー部材１１の上端部には、持手部１２が固定されている。持手部１２は、帯状シート部材の両端部を、カバー部材１１の上端開口縁における１８０度離れた２箇所に重ねて縫合してなる。これにより、持手部１２は、カバー部材１１より上方に突出したアーチ状をなしている。また、持手部１２は、その内側を貫通する方向が後述する限定領域Ｒ１と正対する方向を向いている。なお、カバー部材１１が展開状態になると持手部１２は捻れることになるが、図２及び図３では展開状態のカバー部材１１における持手部１２が簡略化して示されている。
【００３２】
図５に示すように、発光ユニット２０は、透明な基板ケース２３に帯状基板２１を収容してなる。帯状基板２１は、細長い帯状をなし、その長手方向に複数のＬＥＤ２２（本発明の「発光素子」に相当する）が１列に並べられて実装されている。また、帯状基板２１の長手方向の一端にケーブル２１Ｃ（図６参照）が取り付けられている。なお、本実施形態では、隣り合ったＬＥＤ２２同士の間隔が交互に大小に異なっている。
【００３３】
基板ケース２３は、細長い管状をなし、その断面形状は、図６に示すように横長の四角形の一方の長辺部分が外側に膨出した形状をなしている。そして、基板ケース２３のうち他方の長辺部分に相当する平坦なベース壁部２３Ａに帯状基板２１が重ねられ、一方の長辺部分に相当する膨出壁部２３Ｂに対して帯状基板２１上のＬＥＤ２２群が照射空間２３Ｋを挟んで対向している。
【００３４】
図５に示すように、基板ケース２３の両端開口にはキャップ２４，２４が嵌合され、一方のキャップ２４に形成された図示しないケーブル取出部からケーブル２１Ｃが外部に導出されている。そして、シール材にて基板ケース２３とキャップ２４との隙間がシールされて基板ケース２３内が防水されている。なお、帯状基板２１は、キャップ２４の先端部とベース壁部２３Ａとの間に挟まれてベース壁部２３Ａに重ねた状態に保持している。
【００３５】
図６に示すように、基板ケース２３には、膨出壁部２３Ｂ及び両側壁２３Ｃ，２３Ｃの内部全体に亘って連通した壁内隙間２３Ｓが形成され、そこに透過型の回析格子シート２５が収容されている。そして、各ＬＥＤ２２からの光が照射空間２３Ｋを通ることで拡がって回析格子シート２５に照射され、その回析格子シート２５における被照射部分が、図７に示すようにＬＥＤ２２より広範囲に大きな所定形状の発光部２５Ｓとなって基板ケース２３外から視認される。なお、本実施形態の発光部２５Ｓは、例えば、大小の複数の丸形の花弁部２５Ａが多重の同心円状に並んだ花冠形状になる。
【００３６】
回析格子シート２５は、有色透明になっていて、その回析格子シート２５の色は、帯状基板２１の表面の色の補色（反対色）になっている。具体的には、帯状基板２１の表面は、緑色（ソルダーレジストの色）になっていて、その補色である赤色に回析格子シート２５が着色されている。また、ＬＥＤ２２は、回析格子シート２５の色の補色ではない色の光（例えば、白色の光）を出射する。従って、外側から回析格子シート２５を通って帯状基板２１を照らした光の反射光は、回析格子シート２５より外に出難くなり、基板ケース２３内が暗い状態に維持される。その一方、ＬＥＤ２２から光は回析格子シート２５を通過して外側から容易に視認される。これにより、基板ケース２３の外側が明るくても、図７に示すように回析格子シート２５における発光部２５Ｓとそれ以外の部分とのコントラストが明確になり、周囲が明るくても発光部２５Ｓの光を明確に視認することができる。なお、前記した基板ケース２３及び後述するユニットケース２７は、無色透明になっている。
【００３７】
図２に示すように、本実施形態のコーンカバー１０には、上記した発光ユニット２０が３つ備えられ、それら発光ユニット２０の全てが、カバー部材１１の全周の半分以下の限定領域Ｒ１内に偏在し、カバー部材１１の上端部を中心とした放射状に配置されている。より具体的には、１つの発光ユニット２０が、展開状態のカバー部材１１における展開角θ１の略中心に配置され、その発光ユニット２０の両側に残りの２つの発光ユニット２０が左右対称に配置されている。そして、左右両側の発光ユニット２０，２０のうち中央の発光ユニット２０の反対側の側面を延長して描くことができる１対の基準面Ｌ１，Ｌ１に挟まれた範囲が本実施形態における限定領域Ｒ１になっていて、この限定領域Ｒ１内にコーンカバー１０の全ての発光ユニット２０（全てのＬＥＤ２２でもある）が配置されている。また、１対の基準面Ｌ１，Ｌ１の間の角度θ２は展開角θ１の半分以下（より詳細には、略１／３以下）の範囲に収まっている。
【００３８】
図６に示すように、各発光ユニット２０を上記した位置に配置するために、カバー部材１１の外面には透明なユニットケース２７が固定されている。ユニットケース２７は、発光ユニット２０全体を収容可能な溝形状をなし、その溝の開口縁全体から全側方に張り出したフランジ部２７Ｆがカバー部材１１の外面に重ねて溶着されている。また、カバー部材１１のアウターシート１１Ａのうちユニットケース２７に覆われている部分の下端部には、縦長のスリット１１Ｓが形成されている。そして、スリット１１Ｓを通して発光ユニット２０がユニットケース２７に収容されて、ケーブル２１Ｃがスリット１１Ｓから外側に排出されている。
【００３９】
図９に示すように、袋部１７には、駆動制御ユニット３０が収容されている。図８に示すように、駆動制御ユニット３０は、偏平直方体状のケース３１の内部に複数の電池３２と制御基板３３とを収容して備えている。ケース３１は、偏平となった方向でケース蓋３１Ｆとケース本体３１Ｈとに分割されている。そして、例えば、ケース本体３１Ｈのうちケース蓋３１Ｆに対向した主板壁３１Ｍの内面に制御基板３３が重ねて固定され、その制御基板３３よりケース蓋３１Ｆ側に複数の電池３２が横並びに配置されている。また、ケース本体３１Ｈの上面には、ケーブル挿通孔３１Ａが形成され、各発光ユニット２０から延びたケーブル２１Ｃ（図６参照）がケーブル挿通孔３１Ａを通してケース３１内に引き込まれて制御基板３３に接続されている。
【００４０】
制御基板３３には、マイクロコンピュータ３６と、モメンタリ式とスライド式の２つの電源スイッチ３４，３５とが実装されている。また、図示しない電源電圧検出回路及びＬＥＤ駆動回路も制御基板３３に実装されている。
【００４１】
モメンタリ式の電源スイッチ３４は、主板壁３１Ｍに形成された貫通孔を通して、主板壁３１Ｍの外面中央から突出している。一方、スライド式の電源スイッチ３５は、主板壁３１Ｍに形成されたスリット３１Ｓを通してケース３１の外面の上端寄り位置に露出している。これら電源スイッチ３４，３５は、電池３２群からマイクロコンピュータ３６及びＬＥＤ駆動回路への共通の給電ラインの途中に直列接続され、両方の電源スイッチ３４，３５がオンしている場合にのみ、給電ラインが導通状態になる。また、図９（Ａ）に示すように、駆動制御ユニット３０は、モメンタリ式の電源スイッチ３４が袋構成シート１６に宛がわれた状態で袋部１７に収容されている。そして、コーンカバー１０がコーン９０に装着されない限り、モメンタリ式の電源スイッチ３４はオフ状態に保持され、図９（Ｂ）に示すようにコーンカバー１０がコーン９０に装着されると、モメンタリ式の電源スイッチ３４が袋構成シート１６を介してコーン本体９１に押し付けられてオン状態に保持される。
【００４２】
前記した図示しないＬＥＤ駆動回路は、電池３２とＬＥＤ２２群との間を導通状態と断絶状態とに切り替えるスイッチ素子（例えば、ＦＥＴ）を有してなり、そのスイッチ素子がマイクロコンピュータ３６によってオンオフ制御されてＬＥＤ２２群の点灯パターンが制御される。
【００４３】
マイクロコンピュータ３６は、ＣＰＵ、ＲＡＭ及びＲＯＭをパッケージしてなり、受電開始と共にＲＯＭから図１０に示した点灯制御プログラムＰＧ１をロードして実行する。そして、先ずは、電源電圧検出回路の検出結果に基づき、電池３２群の出力電圧が第１基準電圧（例えば、５．６Ｖ）以上であるか又は、第１基準電圧より低電圧の第２基準電圧（例えば、５．２Ｖ）以上であるかを判定する（Ｓ１０，Ｓ１１）。その判定の結果、電池３２群の出力電圧が第１基準電圧以上であれば（Ｓ１０：ＹＥＳ）、ＬＥＤ２２群が４回点滅し、第２基準電圧以上であれば（Ｓ１１：ＹＥＳ）、ＬＥＤ２２群が３回点滅し、第２基準電圧未満であれば（Ｓ１１：ＮＯ）、ＬＥＤ２２群が２回点滅するようにＬＥＤ駆動回路のスイッチ素子をオンオフ制御する。そして、その後、ＬＥＤパターン点灯処理（Ｓ１５）を繰り返して実行する。そのＬＥＤパターン点灯処理（Ｓ１５）では、ＬＥＤ２２群をリズムを変えて点滅させたり、或いは、各発光ユニット２０のＬＥＤ２２群を２つのグループに分けて交互に点滅させる等の制御を行う。
【００４４】
本実施形態のコーンカバー１０の構成に関する説明は以上である。次に、本実施形態のコーンカバー１０の作用効果について説明する。コーンカバー１０は、例えば、管理エリアの境界部分を囲むように配置された複数のコーン９０に装着して使用される。そのためには、例えば、複数のコーンカバー１０を用意し、それらコーンカバー１０のスライド式の電源スイッチ３５をオン状態にして現場に搬送する。なお、搬送時には、コーンカバー１０を、例えば、持手部１２の両端の延長線上で山折りにした折畳状態にすれば、嵩張らずに搬送することができる。
【００４５】
現場では、持手部１２を把持してコーンカバー１０をコーン９０に上方から被せるようにして装着する。その際、コーンカバー１０が折畳状態になっていても、袋部１７をコーン９０の先端部に宛がうことでコーンカバー１０の下端部が容易に拡がる。また、複数の発光ユニット２０及びユニットケース２７が傘の骨の役割を果たし、このことによってもコーンカバー１０の下端部を容易に拡げることができる。そして、発光ユニット２０群を管理エリアの部外者が見易い方向に向ける。ここで、持手部１２は、限定領域Ｒ１に対して一定方向を向いているので、持手部１２を把持した手の向きに基づいて限定領域Ｒ１の向きの調整を容易に行うことができる。そして、発光ユニット２０群の向きが決まったら持手部１２から手を放す。これにより、コーンカバー１０のコーン９０に対する装着が完了する。
【００４６】
コーンカバー１０がコーン９０に装着されると、図９（Ｂ）に示すように、モメンタリ式の電源スイッチ３４がコーン９０に押し付けられてオンする。すると、最初に電池３２の残容量に応じた点滅パターンでＬＥＤ２２群が点滅する。その際、コーンカバー１０の使用予定時間に対して電池３２の残容量が少ないと判断された場合には、そのコーンカバー１０の電池３２を交換しておけばよい。これにより、コーンカバー１０の使用中にＬＥＤ２２が点灯しなくなるような不具合の発生を防ぐことができる。
【００４７】
電池３２の残容量表示が終了すると、部外者に対する注意喚起のための点滅パターンでＬＥＤ２２群が点滅する。このとき、本実施形態のコーンカバー１０では、図１に示すように、発光ユニット２０群の全てが限定領域Ｒ１に集められているので、発光ユニット２０群が分散配置されているものより目立させることができ、高い注意喚起機能を発揮する。また、各発光ユニット２０における各ＬＥＤ２２からの光は、回析格子シート２５を通過することで、図７に示すようにＬＥＤ２２より大きな所定形状の発光部２５Ｓとなるので、管理エリアから遠い位置の部外者にも注意を喚起することができる。しかも、回析格子シート２５は、その内側の帯状基板２１の緑色の補色である赤色になっているので、周囲が明るくても回析格子シート２５の発光部２５Ｓとそれ以外の部分とのコントラストが明確になり、発光部２５Ｓの点滅（ＬＥＤ２２の点滅でもある）を部外者に容易に気づかせることができる。
【００４８】
ところで、コーンカバー１０のＬＥＤ２２の点滅は、上記したように部外者に対して高い注意喚起機能を有するが、それは管理エリア内で工事等を行っている部内者にとって光害にもなり得る。しかしながら、上述したように、複数のＬＥＤ２２の全てが限定領域Ｒ１に偏在して管理エリアの外側に向けられているので上記した光害が防がれる。そして、複数のＬＥＤ２２の大部分が部外者への注意喚起のために有効利用され、電池３２の無駄な消耗が抑えられる。これにより、電池３２の交換頻度が抑えられて、電池３２に係るランニングコストを下げることが可能になる。
【００４９】
持手部１２がコーンカバー１０の上方に突出した状態になっているので、コーンカバー１０を回収する際には、持手部１２を把持してコーンカバー１０を容易にコーン９０から抜き取ることができる。しかも、コーンカバー１０をコーン９０から抜き取るだけでモメンタリ式の電源スイッチ３４がオフするので、逐一電源をオフする手間もかからない。また、多数のコーンカバー１０を回収する場合には、例えば、棒状部材を持手部１２の内側に潜らせて効率良く回収することもできる。
【００５０】
［第２実施形態］
本実施形態は、図１１〜図１３に示されている。この実施形態のコーンカバー１０Ｖは、図１１に示すように、照度センサ３８を備えていて、周囲が暗くなったことを条件にしてＬＥＤ２２を点灯させることができる。具体的には、図１２に示すように照度センサ３８は、駆動制御ユニット３０Ｖにおけるケース蓋３１Ｆの外面に取り付けられて、駆動制御ユニット３０内の制御基板３３に接続されている。また、制御基板３３には、照度センサ無効スイッチ３７が備えられ、その照度センサ無効スイッチ３７がスリット３１Ｔを介してケース本体３１Ｈの主板壁３１Ｍの外面に露出している。さらに、図１１に示すようにカバー部材１１のエプロン部１５には、透明な樹脂で閉塞された透光窓３９が形成され、袋部１７（図９（Ａ）参照）に収容された駆動制御ユニット３０Ｖの照度センサ３８が透光窓３９を介して外側に臨んでいる。
【００５１】
また、本実施形態のコーンカバー１０Ｖには、コーン９０に装着された状態で発光ユニット２０群の反対側となる部分の下端部にサブ発光ユニット２０Ｖが備えられている。サブ発光ユニット２０Ｖは、発光ユニット２０と同様の防水構造をなし、発光ユニット２０より短くなっている。また、サブ発光ユニット２０Ｖは、コーンカバー１０全体のＬＥＤ２２群に対して２０％以下のＬＥＤ２２（例えば、２つのＬＥＤ２２）を有し、発光ユニット２０群のＬＥＤ２２と同様に制御基板３３によって駆動制御される。
【００５２】
図１３には、マイクロコンピュータ３６により実行される点灯制御プログラムＰＧ２が示されている。マイクロコンピュータ３６は、受電開始と共に点灯制御プログラムＰＧ２を実行し、電池３２群の出力電圧が第１基準電圧以上であれば（Ｓ１０：ＹＥＳ）、全ての発光ユニット２０のＬＥＤ２２群を点滅させ（Ｓ３０）、第２基準電圧以上であれば（Ｓ１１：ＹＥＳ）、左右両側の発光ユニット２０のＬＥＤ２２群を点滅させ（Ｓ３１）、第２基準電圧未満であれば（Ｓ１１：ＮＯ）、中央の発光ユニット２０のＬＥＤ２２群のみが点滅（Ｓ３２）するようにＬＥＤ駆動回路のスイッチ素子をオンオフ制御する。そして、照度センサ無効スイッチ３７がオンしているか否かを判定する（Ｓ２０）。このとき、照度センサ無効スイッチ３７がオンしていたら（Ｓ２０：ＹＥＳ）、前述のＬＥＤパターン点灯処理（Ｓ１５）を実行してから再び、照度センサ無効スイッチ３７がオンしているか否かを判定する（Ｓ２０）。
【００５３】
また、照度センサ無効スイッチ３７がオフしていたら（Ｓ２０：ＮＯ）、照度センサ３８が検出した照度が規定値以下か否かを判定する（Ｓ２１，２２）。そして、照度が規定値以下であれば（Ｓ２２：ＹＥＳ）、即ち、周囲が暗ければ、ＬＥＤパターン点灯処理（Ｓ１５）を実行してから、再び照度センサ無効スイッチ３７がオンしているか否かを判定する（Ｓ２０）。一方、照度が規定値以下であれば（Ｓ２２：ＮＯ）、即ち、周囲が明るければ、ＬＥＤパターン点灯処理（Ｓ１５）を実行せずに、再び照度センサ無効スイッチ３７がオンしているか否かを判定する（Ｓ２０）。
【００５４】
本実施形態のコーンカバー１０Ｖの上記以外の構成は、第１実施形態のコーンカバー１０と同じである。このコーンカバー１０Ｖによれば、照度センサ無効スイッチ３７をオフしておくことで、周囲が暗くなったことを条件にしてＬＥＤ２２を点灯させることができ、電池３２の消耗を抑えることができる。ところで、本実施形態のコーンカバー１０Ｖの構成では、照度センサ３８を有効にした状態でコーンカバー１０Ｖをコーン９０に装着した場合、スライド式の電源スイッチ３５がオン状態にセットされている限り、周囲が明るくても残容量表示処理（Ｓ１０〜Ｓ１４）が実行されてＬＥＤ２２群が点灯する。これにより、周囲が明るい状態でコーン９０を装着し、その装着直後にＬＥＤ２２群が点灯しなければ、スライド式の電源スイッチ３５がオフしているために、周囲が暗くなってもＬＥＤ２２群は点灯しないことに気づくことができる。即ち、スライド式の電源スイッチ３５の入れ忘れを防ぐことができる。
【００５５】
また、この本実施形態のコーンカバー１０Ｖには、限定領域Ｒ１外に僅かに（全体の２０％以下の）ＬＥＤ２２が設けられているので、部外者に対する注意喚起に比べて低度の注意喚起を部内者に付与して管理エリアの境界位置を認識させることができる。
【００５６】
なお、上記した照度センサ３８を何れかの発光ユニット２０の帯状基板２１に実装して透光窓３９を排除してもよい。また、サブ発光ユニット２０Ｖを排除してもよい。
【００５７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５８】
（１）前記第１及び第２の実施形態では、壁内隙間２３Ｓ（図６参照）が基板ケース２３の膨出壁部２３Ｂと両側壁２３Ｃ，２３Ｃとに亘って形成されていたが、膨出壁部２３Ｂのみに壁内隙間２３Ｓを形成して、そこに回析格子シート２５を収容してもよい。また、壁内隙間２３Ｓを設けずに基板ケース２３又はユニットケース２７のうちＬＥＤ２２との対向部分に回析格子シート２５を貼り付けてもよい。
【００５９】
（２）前記第１実施形態のカバー部材１１における両側縁寄り位置にマグネットを取り付けた構成にしてもよい。そのようにすれば、コーンカバー１０を展開した状態にして、例えば車両の外面にマグネットにて貼り付けてモメンタリ式の電源スイッチ３４をオンさせ、ＬＥＤ２２を点灯して注意喚起を促すことができる。
【００６０】
（３）前記第１及び第２の実施形態では、駆動制御ユニット３０を収容した袋部１７が限定領域Ｒ１の下方に配置されていたが、限定領域Ｒ１の下方以外の位置に袋部１７を配置してもよい。但し、限定領域Ｒ１の下方に袋部１７を設ければ、駆動制御ユニット３０とＬＥＤ２２との間の配線が簡素になる。
【００６１】
（４）前記第１及び第２の実施形態では、全てのＬＥＤ２２群が配置されている限定領域Ｒ１がコーンカバー１０の全周の略１／３の大きさであったが、図１４に示したコーンカバー１０Ｗのように、全てのＬＥＤ２２群が配置されている限定領域Ｒ１がコーンカバー１０の全周の略１／２の大きさでであってもよい。
【００６２】
（５）前記第１及び第２の実施形態では、モメンタリ式の電源スイッチ３４とスライド式の電源スイッチ３５との両方を設けた構成になっていたが、モメンタリ式の電源スイッチ３４のみの構成であってもよい。
【００６３】
（６）前記第１及び第２の実施形態では、制御基板３３が、駆動制御ユニット３０の内部に収容されていたが、何れかの発光ユニット２０の内部に収容されていてもよい。
【００６４】
（７）本発明の技術的範囲には含まれないが、ＬＥＤが周囲に均等配置されたコーンカバーにおいて、コーンに装着しただけでモメンタリ式の電源スイッチがオンする技術や、照度センサを設けかつ電源スイッチの入れ忘れを防止する技術や、上方に突出した持手部を設ける技術を適用してもよい。
【符号の説明】
【００６５】
１０，１０Ｖ    コーンカバー
１１    カバー部材
１１Ｓ    スリット
１２    持手部
１４    面ファスナー
１７    袋部
２０，２０Ｖ    各発光ユニット
２１    帯状基板
２２    ＬＥＤ（発光素子）
２３    基板ケース
２５    回析格子シート
２７    ユニットケース
３４    モメンタリ式の電源スイッチ
９０    コーン
９３    外周面
Ｒ１    限定領域
【要約】
【課題】電池の無断な消耗を抑えることが可能なコーンカバーを提供する。
【解決手段】本発明のコーンカバー１０では、複数のＬＥＤ２２の全てが、カバー部材１１の全周の半分以下の限定領域Ｒ１に偏在しているので、その限定領域Ｒ１を管理エリアの外側に向けることで、複数のＬＥＤ２２の大部分が、部外者への注意喚起のために有効利用され、電池３２の無駄な消耗が抑えられる。これにより、電池３２の交換頻度が抑えられて、電池３２に係るランニングコストを下げることが可能になる。
【選択図】図１【図１】
0005846619.tif 000002
【図２】
0005846619.tif 000003
【図３】
0005846619.tif 000004
【図４】
0005846619.tif 000005
【図５】
0005846619.tif 000006
【図６】
0005846619.tif 000007
【図７】
0005846619.tif 000008
【図８】
0005846619.tif 000009
【図９】
0005846619.tif 000010
【図１０】
0005846619.tif 000011
【図１１】
0005846619.tif 000012
【図１２】
0005846619.tif 000013
【図１３】
0005846619.tif 000014
【図１４】
0005846619.tif 000015